(57)【特許請求の範囲】
【請求項１】
移動通信システムにおいて同期信号の少なくとも一部を変調する方法であって、
前記同期信号の前記少なくとも一部に複素定数信号を乗じて、第２の複素信号を生成するステップ（２０１、２０４）と、
前記第２の複素信号に実数及び虚数値のシーケンスを乗じて、前記第２の複素信号の相回転を生成するステップ（２０２、２０４）と、
前記第２の複素信号の前記相回転をフィルタするステップ（２０６、２０８）と、を備えることを特徴とする方法。
【請求項２】
前記相回転がπ／２の増分での相回転を含むことを特徴とする請求項１に記載の方法。
【請求項３】
前記同期信号の前記少なくとも一部が、ランダム・アクセス信号の少なくとも一部を含むことを特徴とする請求項１に記載の方法。
【請求項４】
前記ランダム・アクセス信号の前記少なくとも一部が、ランダム・アクセス・プリアンブルを含むことを特徴とする請求項３に記載の方法。
【請求項５】
前記ランダム・アクセス信号の前記少なくとも一部が、二値ＲＡＣＨプリアンブルを含むことを特徴とする請求項３に記載の方法。
【請求項６】
前記第２の複素信号の前記相回転が、四相プリアンブルを含むことを特徴とする請求項１に記載の方法。
【請求項７】
前記移動通信システムが、ＣＤＭＡあるいはスペクトル拡散システムを含むことを特徴とする請求項１に記載の方法。
【請求項８】
前記フィルタするステップ（２０６、２０８）が、前記第２の複素信号の前記相回転をＩ及びＱブランチの各パルス整形フィルタ（２０６、２０８）でフィルタするステップ（２０６、２０８）を更に備えることを特徴とする請求項１に記載の方法。
【請求項９】
前記変調する方法が、移動局で実行されることを特徴とする請求項１に記載の方法。
【請求項１０】
移動通信システムにおいて同期信号の少なくとも一部を復調する方法であって、
前記同期信号の前記少なくとも一部に局部発振信号を乗じて、複素信号の複数の実数及び虚数成分を生成するステップ（３０２、３０４）と、
前記複素信号の前記複数の実数及び虚数成分をフィルタして、前記複素信号の第２の複数の実数及び虚数成分を生成するステップ（３０６、３０８）と、
前記第２の複数の実数及び虚数成分の位相を複素発振信号で逆回転して、前記複素信号の位相が逆回転された複数の実数及び虚数成分を生成するステップ（３１０、３１２、３１４、３１６）と、
二値プリアンブル相関器（３１８、３２０）を用いて、前記複素信号の位相が逆回転された前記複数の実数及び虚数成分と送信された複素プリアンブルの共役複素数との相関をとって、複素相関信号を生成するステップと、を備えることを特徴とする方法。
【請求項１１】
前記複素相関信号を所定の閾値と比較するステップと、
前記複素相関信号の値が前記所定の閾値以上であれば検出信号を出力するステップと、を更に備えることを特徴とする請求項１０に記載の方法。
【請求項１２】
前記同期信号の前記少なくとも一部が、ランダム・アクセス信号の少なくとも一部を含むことを特徴とする請求項１０に記載の方法。
【請求項１３】
複素信号の前記複数の実数及び虚数成分が、複素ベースバンド信号のＩ及びＱブランチをそれぞれ含むことを特徴とする請求項１０に記載の方法。
【請求項１４】
前記出力するステップの結果が、ランダム・アクセス・プリアンブルが検出されたことを表わすことを特徴とする請求項１１に記載の方法。
【請求項１５】
前記復調する方法が、基地局受信器で実行されることを特徴とする請求項１０に記載の方法。
【請求項１６】
前記移動通信システムが、ＣＤＭＡあるいはスペクトル拡散システムを含むことを特徴とする請求項１０に記載の方法。
【請求項１７】
移動通信システムにおいて同期信号の少なくとも一部を変調する装置であって、
前記同期信号の前記少なくとも一部に複素定数信号を乗じて（２０２）、第２の複素信号を生成する第１の乗算段（２０２）と、
前記第１の乗算段に結合されており、前記複素信号に実数及び虚数値のシーケンスを乗じて（２０４）、前記第２の複素信号の相回転を生成する第２の乗算段（２０４）と、
前記第２の複素信号の前記相回転をフィルタ（２０６、２０８）するために、それぞれが前記第２の乗算段（２０４）の各乗算成分に結合された、複数のフィルタ（２０６、２０８）と、を備えることを特徴とする装置。
【請求項１８】
前記相回転がπ／２の増分での相回転を含むことを特徴とする請求項１７に記載の装置。
【請求項１９】
前記同期信号の前記少なくとも一部が、ランダム・アクセス信号の少なくとも一部を含むことを特徴とする請求項１７に記載の装置。
【請求項２０】
前記ランダム・アクセス信号の前記少なくとも一部が、ランダム・アクセス・プリアンブルを含むことを特徴とする請求項１９に記載の装置。
【請求項２１】
前記ランダム・アクセス信号の前記少なくとも一部が、二値ＲＡＣＨプリアンブルを含むことを特徴とする請求項１９に記載の装置。
【請求項２２】
前記第２の複素信号の前記相回転が、四相プリアンブルを含むことを特徴とする請求項１７に記載の装置。
【請求項２３】
前記移動通信システムが、ＣＤＭＡあるいはスペクトル拡散システムを含むことを特徴とする請求項１７に記載の装置。
【請求項２４】
前記複数のフィルタが、Ｉ及びＱブランチのパルス整形フィルタ（２０６、２０８）を含むことを特徴とする請求項１７に記載の装置。
【請求項２５】
前記装置が、移動局の変調器を含むことを特徴とする請求項１７に記載の装置。
【請求項２６】
移動通信システムにおいて同期信号の少なくとも一部を復調する装置であって、
前記同期信号の前記少なくとも一部に局部発振信号を乗じて（３０２、２０４）、複素信号の複数の実数及び虚数成分を生成する乗算段（３０２、３０４）と、
前記乗算段に結合されており、前記複素信号の前記複数の実数及び虚数成分をフィルタして（３０６、３０８）、前記複素信号の第２の複数の実数及び虚数成分を生成するフィルタ段（３０６、３０８）と、
前記フィルタ段に結合されており、前記第２の複数の実数及び虚数成分の位相を複素発振信号で逆回転して（３１０、３１２、３１４、３１６）、前記複素信号の位相が逆回転された複数の実数及び虚数成分を生成する位相逆回転段（３１０、３１２、３１４、３１６）と、
前記位相逆回転段に結合されており、二値プリアンブル相関器（３１８、３２０）を用いて、前記複素信号の位相が逆回転された前記複数の実数及び虚数成分と送信された複素プリアンブルの共役複素数との相関をとって、複素相関信号を生成する相関段（３１８、３２０）と、を備えることを特徴とする装置。
【請求項２７】
前記相関段（３１８、３２０）に結合されており、前記複素相関信号を所定の閾値と比較し、前記複素相関信号の値が前記所定の閾値以上であれば検出信号を出力する手段を更に備えることを特徴とする請求項２６に記載の装置。
【請求項２８】
複素信号の前記複数の実数及び虚数成分が、複素ベースバンド信号のＩ及びＱブランチをそれぞれ含むことを特徴とする請求項２６に記載の装置。
【請求項２９】
前記検出信号が、ランダム・アクセス・プリアンブルが検出されたことを表わすことを特徴とする請求項２６に記載の装置。
【請求項３０】
前記復調する装置が、基地局受信器に配置されることを特徴とする請求項２６に記載の装置。
【請求項３１】
前記移動通信システムが、ＣＤＭＡあるいはスペクトル拡散システムを含むことを特徴とする請求項２６に記載の装置。
【請求項３２】
前記同期信号の前記少なくとも一部が、ランダム・アクセス信号の少なくとも一部を含むことを特徴とする請求項２６に記載の装置。
【発明の詳細な説明】
【０００１】
関連する出願の相互参照
この特許出願は、出願人が同じであり、１９９６年１０月１８日、１９９７年４月３０日、１９９８年９月４日、１９９８年１０月４日、及び１９９８年１０月９日にそれぞれ出願された、米国特許出願番号  ０８／７３３，５０１、０８／８４７，６５５、０９／１４８，２２４、０９／１６６，６７９及び０９／１６９，７３１の主題に関連したものであり、これら全体を参照により本明細書に組み込む。
【０００２】
発明の背景
発明の技術分野
本発明は概して移動通信の分野に関し、より詳細には、多重ランダム・アクセスの移動体本位（ｍｏｂｉｌｅ−ｏｒｉｅｎｔｅｄ）の呼を処理する方法及びシステムに関する。
【０００３】
従来技術の説明
次世代の移動通信システムは、デジタル音声、パケットの画像及びデータ並びに回線交換モードのチャネルを含む、通信サービスの幅広い選択を提供することが要求されるであろう。結果として、なされる呼の数はかなり増えると予想され、ランダム・アクセス・チャネル（ＲＡＣＨ）でのトラフィック密度がかなり高くなるであろう。残念ながら、この高いトラフィック密度により、衝突及びアクセスの失敗が増大することとなるであろう。その結果、アクセス成功率を高くしアクセス要求処理時間を短縮するためには、新たな移動通信システムは、はるかに高速で柔軟性があり、好ましくは干渉が少ないランダム・アクセス手順を用いることが必要となるであろう。
【０００４】
ある種の移動通信システムでは、ＲＡＣＨが使用できることを最初に判定することによって移動局が基地局にアクセスできる。そして、移動局は一連のアクセス要求プリアンブル（例えば、長さがそれぞれ４０９６チップ）を、基地局がアクセス要求を検出するまでパワーを増大させて送信する。応答で、基地局は移動局の送信パワーをダウンリンク・チャネルを介して制御する処理を開始する。一旦移動局と基地局との間の初期の「ハンドシェーク」が完了したら、移動体のユーザはランダム・アクセス・メッセージを送信する。
【０００５】
より詳細には、ある種の符号分割多元アクセス（ＣＤＭＡ）システムでは、移動局は連続して送信されるプリアンブル・シンボルそれぞれのパワー・レベルを増大させる、「パワー・ランピング（ｐｏｗｅｒ ｒａｍｐｉｎｇ）」処理を用いて基地局受信機にアクセスしようとする。アクセス要求のプリアンブルが検出されるとすぐに、基地局は、移動局から受信した信号のパワー・レベルを所望のレベルに保つために移動局の送信パワー・レベルを制御するように機能する、閉ループのパワー制御回路を動作させる。そして移動局は自身の特定のアクセス要求データを送信する。基地局の受信機は、受信した（スペクトル拡散された）信号を整合フィルタを用いて「逆拡散（ｄｅｓｐｒｅａｄ）」し、アンテナ・ダイバーシティの効果を得るために逆拡散した信号をダイバーシティで組合せる。
【０００６】
ＩＳ−９５のＣＤＭＡシステムでは、同様なランダム・アクセス技術が用いられている。しかしながら、ＩＳ−９５の処理と他のＣＤＭＡシステムの処理との主要な差は、ＩＳ−９５の移動局がプリアンブルだけの代わりにランダム・アクセス・パケット全体を送信することである。基地局がアクセス要求を確認しなければ、ＩＳ−９５の移動局はアクセス要求パケットをより大きなパワー・レベルで再送する。この処理は基地局がアクセス要求を確認するまで続けられる。
【０００７】
出願人が同じ米国特許出願シリアル番号  ０８／７３３，５０１（以下では「５０１出願」と称する）に開示された方法などの、スロット化されたＡＬＯＨＡ（Ｓ−ＡＬＯＨＡ）のランダム・アクセス方式を用いる移動通信システムでは、移動局はランダム・アクセス・パケットを生成し送信する。図１はこのようなランダム・アクセス・パケットのフレーム構造を示す図である。代表的ランダム・アクセス・パケット（「アクセス要求データ・フレーム」）は、１つ又はいくつかのプリアンブルとメッセージ部分とを含んでいる。概して、プリアンブルは、間違った時間位置での同期検出の可能性が最小となる最適化された自己相関特性を有する二値の同期コードである。
【０００８】
本発明によって対処すべき問題に戻ると、先に説明したように、移動局は基地局にアクセスするためにランダム・アクセス・バーストを送信する。アクセス・バーストは、プリアンブルとメッセージ又はデータ部分とを含んでいる。メッセージ部分は四相拡散シーケンスによって拡散され、フィルタされた送信信号のピーク対平均パワー比（ＰＡＰＲ）を減少するように変調もされる。これと同じタイプの変調（一般に、ハイブリッド位相シフト・キーイングあるいはＨＰＳＫ変調と呼ばれる）が、物理チャネルに専用のアップリンクに適用される。このようなＨＰＳＫ変調の重要な利点は、移動局のパワー増幅器の設計において最大のＰＡＰＲが（従来の四相ＰＳＫあるいはＱＰＳＫ変調と比べて）１ｄＢ未満となり得るような場合を認める点である。
【０００９】
代替的に、送信されるランダム・アクセス・バーストのプリアンブル部分は、擬似ＱＰＳＫ変調される。上記のように、プリアンブルは４０９６チップの長さの二値同期コードを含んでいる。この場合、コードの各二値要素Ｃには、四相送信機のブランチにおいて、一定の複素数、
【数１】
0003575752.tif 000002
がフィルタリングの直前に乗じられる。その結果、プリアンブルの送信の間に観測されるＰＡＰＲは、メッセージ部分の送信の間（すなわち、トラフィック・チャネル送信の間）に観測されるＰＡＰＲよりも１ｄＢ大きい。このバーストのＰＡＰＲにおける１ｄＢの違いによる問題は、これが通常は隣接する周波数チャネルにおいて干渉を起こす送信信号を歪ませることである。このように、この問題は、プリアンブルのパワー・ランピングの間により頻繁に生じる、より大きなパワー・レベルにおいて特に重大である。再度述べると、プリアンブルのパワー・ランピングは、基地局が送信したプリアンブルを正しく受信したと確認するまで、移動局がパワー・レベルを増大させてＲＡＣＨプリアンブルを連続して送信する手順である。
【００１０】
特に、使用される従来のＨＰＳＫ変調手法は、得られる四相拡散コードのいくつかの連続した要素間の位相差が、最大でプラス又はマイナス９０度となるように、二値の拡散コードの対を四相拡散コードにマップするものである。このように、π／２の位相の制限がＮ＝２のチップのブロックだけに適用されるので、四相コードのいくつかの連続した要素間だけの位相差が最大でプラス又はマイナス９０度となることを強調しておく。しかしながら、ランダムＱＰＳＫ送信は、Ｎ＝２のチップのブロック間（ブロック内とは反対に）で認められている。その結果、このようなランダムな相転移（ｐｈａｓｅ ｔｒａｎｓｉｔｉｏｎｓ）が、ＱＰＳＫ拡散との干渉に対する耐性を改善する重要な条件である、統計的に独立した二値拡散シーケンスをＩ及びＱチャネルに（仮想的に）生成する。主に、ＨＰＳＫ変調は、π／２の二相（ＢＰＳＫ）及び四相（ＱＰＳＫ）の拡散の両者の方法の効果を利用するハイブリッドな組合せである。詳細には、π／２のＢＰＳＫ拡散はＰＡＰＲを減少することを目的としており、ＱＰＳＫ拡散は干渉を減少することを目的とする。詳細には、パルス整形フィルタリング処理によってもたらされるチップ間干渉が半分に減少される。他ユーザのインタフェース（従来の多重アクセス・インタフェース）は、相対的な他ユーザ・キャリアの位相とは独立している。
【００１１】
図２は、従来のＨＰＳＫ変調器１００のブロック図である。図示されたように、シリアル／パラレル（Ｓ／Ｐ）変換ブロック１０４は、Ｎ＝２のチップの後毎にランダムなＱＰＳＫ相転移を生成する加算（１０８）の前に、異なったランダム・チップに対応する実数及び虚数のブランチを乗じる（１０６）ことを示している。その結果、得られる四相拡散コード、Ｃi＋jＣq の連続した要素の対の間の位相差は、最大で±π／２の値に制限される。他の相転移はいずれも｛０，±π／２，π｝のセット内の任意の値をとれる。
【００１２】
それにもかかわらず、従来のＨＰＳＫ変調手法の重大な問題は、変調されている拡散シーケンスの相関特性を変更することである。例えば、拡散シーケンスが、ＨＰＳＫ変調が加えられた後に、非周期的自己相関（ａｐｅｒｉｏｄｉｃ ａｕｔｏｃｏｒｒｅｌａｔｉｏｎ）のサイドローブが低い特別に設計された同期コードであるとき、自己相関特性が同じままであるという保証はない。全く反対に、通常はこのような場合、自己相関特性の忠実度はかなり悪くなる。実際に、この問題は、従来の手法でＨＰＳＫ変調がＲＡＣＨプリアンブルに適用されていない主な理由である。このように、連続した四相コード要素間の相転移を制限するが、相関特性が変更されない拡散／同期コードを生成する、新たな変調方式を提供することが望まれている。以下で詳細に説明するように、本発明はこの問題及び他の関連する問題を成功裏に解決するものである。
【００１３】
発明の概要
本発明の好適な実施形態によれば、複素ＲＡＣＨプリアンブルの実数及び虚数成分が対応するパルス整形フィルタでフィルタされる、移動通信システムのＲＡＣＨ変調方法が提供される。その結果、相転移は全てのチップ位置で制限され、得られる四相コードは従来のＨＰＳＫ変調方式で送信されるよりもＰＡＰＲが低い送信信号をもたらす。
【００１４】
本発明の重要な技術的利点は、全てのチップ位置での相転移が最大でプラス又はマイナス９０度という条件で、使用される変調方式が任意の二値同期コードに適用できることである。
【００１５】
本発明の別の重要な技術的利点は、使用される変調方式により、従来のＱＰＳＫ拡散方式と比べて、フィルタされ送信される信号のＰＡＰＲが２ｄＢを越えて減少されることである。
【００１６】
本発明の更に別の重要な技術的利点は、使用される変調方式が、従来のＨＰＳＫ変調方式で得られるよりも１ｄＢ低いＰＡＰＲをもたらす。
【００１７】
本発明のまた別の重要な技術的利点は、非周期的自己相関の大きさを使用される元の二値コードと同じに保ち、間違った時間位置での同期検出の可能性を最小とするように最適化された、四相同期コードを生成する変調方式が用いられることである。
【００１８】
本発明のまた別の重要な技術的利点は、効率的な二値同期コード相関器を用いて同期コード受信器を実現できることである。
【００１９】
以下の詳細な説明を添付の図面と共に参照することにより、本発明の方法及び装置についてのより完全な理解が得られるであろう。
【００２０】
図面の詳細な説明
様々な図面の同様な及び対応する部分に対して同じ参照符号を用いた図１から図４を参照することにより、本発明の好適な実施形態及びその利点は最も良く理解される。
【００２１】
基本的には、本発明の好適な実施形態では、複素ＲＡＣＨプリアンブルの実数及び虚数成分が対応するパルス整形フィルタでフィルタされる、移動通信システムのＲＡＣＨ変調方法が提供される。その結果、相転移は全てのチップ位置（チップ内あるいはチップ間）で制限され、得られる四相コードは従来のＨＰＳＫ変調方式で送信されるよりもＰＡＰＲが低い送信信号をもたらす（例えば、１ｄＢかそれより低い）。
【００２２】
詳細には、図３は、本発明の好適な実施形態を実現するのに使用できる、移動通信システムにおけるＲＡＣＨプリアンブルを変調するベースバンド変調器２００のブロック図である。例えば、図示された代表的変調器２００は、あらゆる既存の又は将来のスペクトル拡散、あるいはＣＤＭＡ移動通信システムに使用できる。図３を参照すると、長さＬの二値のＲＡＣＨプリアンブル、ａ（ｋ）（ただし、ｋ＝０，１，２，…，Ｌ−１）に、一定の複素数、（１＋ｊ）／√２、を最初に乗じる（２０２）。好適な実施形態では、ＰＡＰＲを減少するために、その結果に複素数、ｊk（ただし、ｋ＝０，１，２，…，Ｌ−１）及びｊ＝√−１、を乗じる（２０４）又は変調する。得られる四相プリアンブル、ｂ（ｋ）は、以下のように表わされる。すなわち、
【数２】
0003575752.tif 000003
であり、ここで、ｋ＝０，１，２，…，Ｌ−１、である。式（２）の複素四相プリアンブル、ｂ（ｋ）における実数及び複素成分は、それぞれパルス整形フィルタ２０６（Ｉ）及び２０８（Ｑ）に入力され、移動局による好適な送信のためにＩ及びＱのブランチに、変調されたＲＡＣＨプリアンブル、ＰI＋ｊＰQ をもたらす。
【００２３】
図４は、本発明の第２の実施形態を実現するのに使用できる、移動通信システムにおいて移動局から送信されたＲＡＣＨプリアンブルを受信して復調する、代表的ＲＡＣＨプリアンブル受信器３００のブロック図である。例えば、代表的ＲＡＣＨプリアンブル受信器３００は、図４に示されたように、ＲＡＣＨプリアンブル、ＰＩ＋ｊＰＱ を受信し復調するのに使用できる。
【００２４】
詳細には、代表的ＲＡＣＨプリアンブル受信器３００では、受信した信号にそれぞれの局部発振信号成分を乗じる（３０２、３０４）ことによって、受信した信号が複素ベースバンド信号にダウンコンバートされる。そして受信した信号のＩ及びＱブランチは、対応するパルス整形フィルタ（３０６、３０８）でフィルタされる。フィルたされた成分は、送信された複素プリアンブルの共役複素数、｛ｂ（ｋ）｝で相関がとられる。
【００２５】
受信した信号が送信されたＲＡＣＨプリアンブルを含んでいるとき、複素相関器（３１８、３２０）の出力は、以下の式で表わされる、複素シーケンス、｛ｂ（ｋ）｝の非周期的自己相関関数、Ｒｂ（τ）に比例する。すなわち、
【数３】
0003575752.tif 000004
であり、ここで、０≦τ＜Ｌ、及び、Ｒｂ（−τ）＝Ｒｂ（τ）＊、である。上記の式（２）及び（３）から、
【数４】
0003575752.tif 000005
となる。式（４）から、四相同期コードが、元の二値コードと同じ大きさの非周期的自己相関を維持していることが分かるであろう。非周期的自己相関の大きさは、ピーク検出器３２２において所定の閾値と比較される。ピーク検出器３２２は、非周期的自己相関信号の大きさが所定の閾値以上であるときに出力信号を生成する。上記で示したように、使用される変調方法はプリアンブル検出の性能に影響しない。
【００２６】
一方、図４に示されたように、着来受信信号の位相の「逆回転(de-rotation)」を実施する、追加の乗算器３１０、３１２及びアドレス３１４、３１６によって、プリアンブル受信器が更に複雑となる。この位相の「逆回転」は、着来信号に複素発振信号、ｅ−ｊ［π／４＋π（ｋ＋δ）／２］を乗じることにより、着来信号とは非同期に実行され得、ここで、δは任意の整数である。複素乗算は実数の乗算（３１０、３１２）及び実数の加算（３１４、３１６）を用いて実行される。実数の加算（３１４、３１６）の後で得られた「逆回転」された信号は、それぞれ二値プリアンブル相関器３１８、３２０に入力される。
【００２７】
図４に示した代表的ＲＡＣＨプリアンブル受信器３００の全体の動作は、以下の式によって表わされる。すなわち、
【数５】
0003575752.tif 000006
である。式（５）に示されたように、位相の逆回転を非同期とする主な効果は、出力複素相関値に単位の大きさの複素定数が乗じられることである。その結果、ピーク検出器３２２は、そのような着来信号の位相の逆回転の非同期による影響を受けない。
【００２８】
その上、送信されたアクセス・バーストのＲＡＣＨメッセージ部分のＲＡＫＥ変調のための初期チャネル係数の推定が、従来の方法に従って実行できる。すなわち、受信したＲＡＣＨプリアンブルの様々なマルチパス成分に、（逆拡散の後で）非同期の位相の逆回転から得られる異なった複素定数を乗じてもよいが、これらの成分は既に異なった複素チャネル係数を有しているであろう。従って、ＲＡＫＥ復調に使用されるべきチャネル係数を、プリアンブル相関器（例えば、３１８、３２０）から出力される、対応する相関値のピークの実数及び虚数部分を選択することによって求めてもよい。このように、従来の（擬似）ＱＰＳＫ変調されたＲＡＣＨプリアンブルでは、測定されたＰＡＰＲはおよそ４．９ｄＢであり、一方、本発明に従って実行された変調から求められたＰＡＰＲはおよそ２ｄＢである。同様に、二値シーケンスの任意の対に対して適用された、従来のＨＰＳＫ変調で求められたＰＡＰＲはおよそ３ｄＢである。このように、これら全ての場合において、ロールオフ係数α＝０．２２で、ルート二乗余弦パルス整形(root rased-cosine pulse shaping)を行うＩ及びＱフィルタを用いて評価を実行できる。
【００２９】
本発明の方法及び装置の好適な実施形態を添付の図面及び図面の詳細な説明によって説明したが、本発明が開示した実施形態に限定されるものではなく、特許請求の範囲に記載した本発明の要旨を逸脱せずに、多くの再配置、修正及び置換が可能であることは分かるであろう。
【図面の簡単な説明】
【図１】ランダム・アクセス・パケットのフレーム構造を示す図である。
【図２】従来のＨＰＳＫ変調器のブロック図である。
【図３】本発明の好適な実施形態を実現するのに使用できる、移動通信システムにおけるＲＡＣＨプリアンブルを変調する、代表的ベースバンド変調器のブロック図である。
【図４】本発明の第２の実施形態を実現するのに使用できる、移動通信システムにおいて移動局から送信されたＲＡＣＨプリアンブルを受信して復調する、代表的ＲＡＣＨプリアンブル受信器のブロック図である。
【図１】
0003575752.tif 000007
【図２】
0003575752.tif 000008
【図３】
0003575752.tif 000009
【図４】
0003575752.tif 000010